(57)【要約】【課題】ＩＧＭＰグループのサービス提供の制限を解決すること。【解決手段】通信装置は、参加要求メッセージを受信する参加メッセージ受信部と、受信した参加要求メッセージに従って、仮想ネットワークをマルチキャストグループに登録する参加要求メッセージ制御部と、マルチキャストグループに登録された仮想ネットワークに対してマルチキャストパケットを送信するマルチキャストパケット送信部と、参加要求メッセージと共に送信される特定の情報と、当該特定の情報毎に予め設定された優先度を表す優先度情報と、が関連付けられた優先度テーブルと、を備える。そして、参加要求メッセージ制御部は、仮想ネットワークにそれぞれ関連付けられた優先度に基づいて、マルチキャストグループに登録可能な仮想ネットワークの数又は帯域幅の上限値を超えないよう、マルチキャストグループに仮想ネットワークを再登録する。【選択図】図１
2011244255.tif 000002
【特許請求の範囲】
【請求項１】
仮想的なグループを形成した仮想ネットワーク内の端末から、マルチキャストグループへの参加要求メッセージを受信する参加メッセージ受信部と、
受信した前記参加要求メッセージに従って、前記仮想ネットワークをマルチキャストグループに登録を行う参加要求メッセージ制御部と、
前記マルチキャストグループに登録された前記仮想ネットワークに対してマルチキャストパケットを送信するマルチキャストパケット送信部と、を備えると共に、
前記仮想ネットワーク内の端末から前記参加要求メッセージと共に送信される特定の情報と、当該特定の情報毎に予め設定された優先度を表す優先度情報と、が関連付けられた優先度テーブルを備え、
前記参加要求メッセージ制御部は、前記優先度テーブルを参照して、前記マルチキャストグループに登録されている仮想ネットワークと、前記参加要求メッセージを受信した仮想ネットワークと、にそれぞれ関連付けられた優先度に基づいて、予め設定された前記マルチキャストグループに登録可能な仮想ネットワークの数又は帯域幅の上限値を超えないよう、当該マルチキャストグループに仮想ネットワークを再登録する、
通信装置。
【請求項２】
請求項１に記載の通信装置であって、
前記参加要求メッセージ制御部は、予め設定された前記マルチキャストグループに登録可能な仮想ネットワークの数又は帯域幅の上限値の範囲内で、仮想ネットワークの優先度が高いものを優先して当該仮想ネットワークを前記マルチキャストグループに再登録し、前記仮想ネットワークの数又は帯域幅の上限値を超える仮想ネットワークを前記マルチキャストグループに登録せずに破棄する、
通信装置。
【請求項３】
請求項１又は２に記載の通信装置であって、
前記参加要求メッセージと共に送信される前記特定の情報は、仮想ネットワークを識別する情報である、
通信装置。
【請求項４】
請求項１又は２に記載の通信装置であって、
前記参加要求メッセージと共に送信される前記特定の情報は、イーサネットヘッダに含まれるＣｏＳ値である、
通信装置。
【請求項５】
請求項１又は２に記載の通信装置であって、
前記参加要求メッセージと共に送信される前記特定の情報は、ＩＰヘッダに含まれるＴｏＳ値である、
通信装置。
【請求項６】
通信装置に、
仮想的なグループを形成した仮想ネットワーク内の端末から、マルチキャストグループへの参加要求メッセージを受信する参加メッセージ受信部と、
受信した前記参加要求メッセージに従って、前記仮想ネットワークをマルチキャストグループに登録を行う参加要求メッセージ制御部と、
前記マルチキャストグループに登録された前記仮想ネットワークに対してマルチキャストパケットを送信するマルチキャストパケット送信部と、を実現させると共に、
前記参加要求メッセージ制御部は、前記仮想ネットワーク内の端末から前記参加要求メッセージと共に送信される特定の情報と、当該特定の情報毎に予め設定された優先度を表す優先度情報と、が予め関連付けられた優先度テーブルを参照して、前記マルチキャストグループに登録されている仮想ネットワークと、前記参加要求メッセージを受信した仮想ネットワークと、にそれぞれ関連付けられた優先度を調べ、予め設定された前記マルチキャストグループに登録可能な仮想ネットワークの数又は帯域幅の上限値を超えないよう、当該マルチキャストグループに仮想ネットワークを再登録する、
プログラム。
【請求項７】
請求項６に記載のプログラムであって、
前記参加要求メッセージ制御部は、予め設定された前記マルチキャストグループに登録可能な仮想ネットワークの数又は帯域幅の上限値の範囲内で、仮想ネットワークの優先度が高いものを優先して当該仮想ネットワークを前記マルチキャストグループに再登録し、前記仮想ネットワークの数又は帯域幅の上限値を超える仮想ネットワークを前記マルチキャストグループに登録せずに破棄する、
プログラム。
【請求項８】
仮想的なグループを形成した仮想ネットワーク内の端末から、マルチキャストグループへの参加要求メッセージを受信する参加メッセージ受信工程と、
受信した前記参加要求メッセージに従って、前記仮想ネットワークをマルチキャストグループに登録を行う参加要求メッセージ制御工程と、
前記マルチキャストグループに登録された前記仮想ネットワークに対してマルチキャストパケットを送信するマルチキャストパケット送信工程と、を有すると共に、
前記参加要求メッセージ制御工程は、前記仮想ネットワーク内の端末から前記参加要求メッセージと共に送信される特定の情報と、当該特定の情報毎に予め設定された優先度を表す優先度情報と、が予め関連付けられた優先度テーブルを参照して、前記マルチキャストグループに登録されている仮想ネットワークと、前記参加要求メッセージを受信した仮想ネットワークと、にそれぞれ関連付けられた優先度を調べ、予め設定された前記マルチキャストグループに登録可能な仮想ネットワークの数又は帯域幅の上限値を超えないよう、当該マルチキャストグループに仮想ネットワークを再登録する、
マルチキャスト送信方法。
【請求項９】
請求項８に記載のマルチキャスト送信方法であって、
前記参加要求メッセージ制御工程は、予め設定された前記マルチキャストグループに登録可能な仮想ネットワークの数又は帯域幅の上限値の範囲内で、仮想ネットワークの優先度が高いものを優先して当該仮想ネットワークを前記マルチキャストグループに再登録し、前記仮想ネットワークの数又は帯域幅の上限値を超える仮想ネットワークを前記マルチキャストグループに登録せずに破棄する、
マルチキャスト送信方法。
【発明の詳細な説明】
【技術分野】
【０００１】
本発明は、通信装置にかかり、特に、ＩＧＭＰ（Internet Group Management Protocol）機能を有する通信装置に関する。
【背景技術】
【０００２】
ネットワーク内において、特定のグループのホストに対して、１つのデータを同時に送信するマルチキャスト伝送技術がある。そして、マルチキャスト伝送を行うホストのグループつまりマルチキャストグループを制御するためのプロトコルとして、ＩＧＭＰ（Internet Group Management Protocol）がある。なお、マルチキャスト伝送の一例として、特許文献１に開示の技術がある。
【０００３】
ＩＧＭＰでは、端末１がマルチキャストグループに属する場合には、当該端末１が「ｊｏｉｎメッセージ」をアクセス基地局装置（通信装置）に送信することで、アクセス基地局装置のマルチキャストグループに端末１が登録され、マルチキャストパケットが端末１へ送信される。
【先行技術文献】
【特許文献】
【０００４】
【特許文献１】特開２００２−６４５５８号公報
【発明の概要】
【発明が解決しようとする課題】
【０００５】
しかしながら、アクセス基地局装置は、ＩＧＭＰグループ（または帯域）の上限値を設定しているため、上限値以上のＩＧＭＰグループ（または帯域）を要求するｊｏｉｎメッセージを受信した時、そのＩＧＭＰメッセージを廃棄してしまう仕様となっている。従って、設定上限値以上のＩＧＭＰグループ（または帯域）のサービスを提供できない、という問題があった。
【０００６】
このため、本発明の目的は、上述した課題である、ＩＧＭＰグループのサービス提供の制限、ということを解決することにある。
【課題を解決するための手段】
【０００７】
かかる目的を達成するため本発明の一形態である通信装置は、
仮想的なグループを形成した仮想ネットワーク内の端末から、マルチキャストグループへの参加要求メッセージを受信する参加メッセージ受信部と、
受信した上記参加要求メッセージに従って、上記仮想ネットワークをマルチキャストグループに登録を行う参加要求メッセージ制御部と、
上記マルチキャストグループに登録された上記仮想ネットワークに対してマルチキャストパケットを送信するマルチキャストパケット送信部と、を備えると共に、
上記仮想ネットワーク内の端末から上記参加要求メッセージと共に送信される特定の情報と、当該特定の情報毎に予め設定された優先度を表す優先度情報と、が関連付けられた優先度テーブルを備える。
そして、上記参加要求メッセージ制御部は、上記優先度テーブルを参照して、上記マルチキャストグループに登録されている仮想ネットワークと、上記参加要求メッセージを受信した仮想ネットワークと、にそれぞれ関連付けられた優先度に基づいて、予め設定された上記マルチキャストグループに登録可能な仮想ネットワークの数又は帯域幅の上限値を超えないよう、当該マルチキャストグループに仮想ネットワークを再登録する、
という構成を採る。
【０００８】
また、本発明の他の形態であるプログラムは、
通信装置に、
仮想的なグループを形成した仮想ネットワーク内の端末から、マルチキャストグループへの参加要求メッセージを受信する参加メッセージ受信部と、
受信した上記参加要求メッセージに従って、上記仮想ネットワークをマルチキャストグループに登録を行う参加要求メッセージ制御部と、
上記マルチキャストグループに登録された上記仮想ネットワークに対してマルチキャストパケットを送信するマルチキャストパケット送信部と、を実現させるためのプログラムである。
そして、上記プログラムにて実現される上記参加要求メッセージ制御部は、上記仮想ネットワーク内の端末から上記参加要求メッセージと共に送信される特定の情報と、当該特定の情報毎に予め設定された優先度を表す優先度情報と、が予め関連付けられた優先度テーブルを参照して、上記マルチキャストグループに登録されている仮想ネットワークと、上記参加要求メッセージを受信した仮想ネットワークと、にそれぞれ関連付けられた優先度を調べ、予め設定された上記マルチキャストグループに登録可能な仮想ネットワークの数又は帯域幅の上限値を超えないよう、当該マルチキャストグループに仮想ネットワークを再登録する、
という構成を採る。
【０００９】
また、本発明の他の形態であるマルチキャスト送信方法は、
仮想的なグループを形成した仮想ネットワーク内の端末から、マルチキャストグループへの参加要求メッセージを受信する参加メッセージ受信工程と、
受信した上記参加要求メッセージに従って、上記仮想ネットワークをマルチキャストグループに登録を行う参加要求メッセージ制御工程と、
上記マルチキャストグループに登録された上記仮想ネットワークに対してマルチキャストパケットを送信するマルチキャストパケット送信工程と、を有する。
そして、上記参加要求メッセージ制御工程は、上記仮想ネットワーク内の端末から上記参加要求メッセージと共に送信される特定の情報と、当該特定の情報毎に予め設定された優先度を表す優先度情報と、が予め関連付けられた優先度テーブルを参照して、上記マルチキャストグループに登録されている仮想ネットワークと、上記参加要求メッセージを受信した仮想ネットワークと、にそれぞれ関連付けられた優先度を調べ、予め設定された上記マルチキャストグループに登録可能な仮想ネットワークの数又は帯域幅の上限値を超えないよう、当該マルチキャストグループに仮想ネットワークを再登録する、
という構成を採る。
【発明の効果】
【００１０】
本発明は、以上のように構成されることにより、マルチキャスト送信時におけるサービス提供の制限を抑制することができる。
【図面の簡単な説明】
【００１１】
【図１】実施形態１におけるアクセス基地局装置の構成を示すブロック図である。
【図２】図１に開示したＶＬＡＮテーブルのデータ構造の一例を示す図である。
【図３】図１に開示したｊｏｉｎメッセージ制御部によるマルチキャストグループの再登録の一例を示す図である。
【図４】図１に開示したアクセス基地局装置の動作を示すフローチャートである。
【発明を実施するための形態】
【００１２】
＜実施形態１＞
本発明の第１の実施形態を、図１乃至図４を参照して説明する。図１は、本実施形態におけるアクセス基地局装置の構成を示すブロック図である。図２は、ＶＬＡＮテーブルのデータ構造の一例を示す図である。図３は、ｊｏｉｎメッセージ制御部によるマルチキャストグループの再登録の一例を示す図である図４は、アクセス基地局装置の動作を示すフローチャートである。
【００１３】
［構成］
図１に示すアクセス基地局装置１は、端末１１，１２がそれぞれ接続荒れたアクセス端末２１，２２に接続されており、ネットワーク内において、特定のグループのホスト（端末）に対して、１つのデータを同時に送信するマルチキャスト伝送を行う通信装置である。そして、アクセス基地局装置１は、マルチキャストグループを制御するためのプロトコルであるＩＧＭＰ（Internet Group Management Protocol）機能を備えている。
【００１４】
アクセス基地局装置１は、装備された演算装置にプログラムが組み込まれることにより構築された、ｊｏｉｎメッセージ受信部３と、ｊｏｉｎメッセージ制御部４と、マルチキャストパケット送信部５と、を備えている。また、アクセス基地局装置１は、装備された記憶装置に、ＶＬＡＮテーブル２を備えている。以下、各構成について詳述する。
【００１５】
上記ＶＬＡＮテーブル２（優先度テーブル）は、図２に示すように、後述するｊｏｉｎメッセージに含まれる「ＶＬＡＮ  ＩＤ」ごとに、予め設定された「優先度」が関連付けされて登録されている。つまり、「ＶＬＡＮ  ＩＤ」にて識別されるＩＧＭＰグループの「優先度」が、予め設定されて記憶されている。例えば、「ＶＬＡＮ  ＩＤ」が「１００」のＶＬＡＮの「優先度」は、最も低い「０」に設定されており、「優先度」の数値が高くなるにつれて、後述するマルチキャストグループに優先して登録される度合いが高くなるよう設定されている。
【００１６】
また、アクセス基地局装置１のｊｏｉｎメッセージ受信部３（参加メッセージ受信部）は、仮想的なグループを形成した仮想ネットワークであるＶＬＡＮ内の端末から、マルチキャストグループへの参加要求メッセージであるｊｏｉｎメッセージを受信する。このとき、ｊｏｉｎメッセージには、参加要求するＶＬＡＮを識別する「ＶＬＡＮ  ＩＤ」が含まれている。なお、「ＶＬＡＮ  ＩＤ」は、例えば、イーサネットフレーム内のＶＬＡＮ−Ｔａｇに含まれている。
【００１７】
そして、ｊｏｉｎメッセージ制御部４（参加要求メッセージ制御部）は、上述したように受信したｊｏｉｎメッセージに従って、参加要求してきた端末の「ＶＬＡＮ」をマルチキャストグループに登録する。このとき、ｊｏｉｎメッセージ制御部４は、マルチキャストグループに登録可能なＶＬＡＮの数や帯域幅に上限値が設定されている場合には、当該マルチキャストグループのＶＬＡＮの数や帯域幅の上限値を超えないよう、ＶＬＡＮを再登録する。
【００１８】
具体的に、ｊｏｉｎメッセージ制御部４は、マルチキャストグループに参加要求されたＶＬＡＮを新たに追加したとしても、追加後のＶＬＡＮの数や帯域幅の合計が上限値を超えない場合には、参加要求されたＶＬＡＮをマルチキャストグループに追加して再登録する。一方、マルチキャストグループに参加要求されたＶＬＡＮを新たに追加した場合に、追加後のＶＬＡＮの数や帯域幅の合計が上限値を超えてしまう場合には、優先度の高い順にＶＬＡＮをマルチキャストグループに含めると共に、優先度の低い順にＶＬＡＮを登録せずに破棄して、マルチキャストグループを再登録する。
【００１９】
また、マルチキャストパケット送信部５は、上述したようにｊｏｉｎメッセージ制御部４にてマルチキャストグループ登録（再登録）されたＶＬＡＮに、マルチキャストパケットを送信する。
【００２０】
［動作］
次に、上述したアクセス基地局装置１の動作を、図４のフローチャートを参照して説明する。なお、ここでは、図３に示すようにマルチキャストグループが再登録される場合を一例に挙げて説明する。
【００２１】
まず、ｊｏｉｎメッセージ受信部３が「ＶＬＡＮ  ＩＤ」が「４００」のＶＬＡＮ内の端末からｊｏｉｎメッセージを受信する（ステップＳ１）。ここでは、マルチキャストグループに登録可能なＶＬＡＮの数の上限値が「４」に設定されており、符号Ｇの表に示すように、マルチキャストグループに４つのＶＬＡＮが登録されていることとする。この状態で、ＶＬＡＮ４００が新たに参加要求され当該ＶＬＡＮ４００を追加登録したとしても、ＶＬＡＮの数が上限値を超えてしまうため追加することができない。
【００２２】
このため、既にマルチキャストグループに登録されていた各ＶＬＡＮの優先度と、新たに参加要求したＶＬＡＮの優先度とを、ＶＬＡＮテーブル２を参照して調べる。そして、優先度が高い順に、４つのＶＬＡＮをマルチキャストグループに登録し、優先度が最も低いＶＬＡＮを破棄する。このようにして、図３の符号Ｇ’に示すように、新たなマルチキャストグループが再登録される（ステップＳ２）。
【００２３】
その後、再登録されたマルチキャストグループに従って、当該グループに登録されたＶＬＡＮに、マルチキャストパケットを送信する（ステップＳ３）。
【００２４】
ここで、上記では、マルチキャストグループに登録できるＶＬＡＮの数の上限値が設定されている場合を説明したが、ＶＬＡＮの帯域幅の上限値が設定されている場合も同様である。例えば、図３の例において、帯域幅の上限値が所定の値に設定されており、符号Ｇの表に示すようにマルチキャストグループが登録されている状態で、ＶＬＡＮ４００を追加すると帯域幅の上限値を超えてしまうような場合には、優先度の高い順に、合計の帯域幅が上限値の範囲内に収まるようＶＬＡＮをマルチキャストグループに登録し、優先度が低いＶＬＡＮ１００を破棄する。
【００２５】
以上のように、本発明によると、予め設定されたＶＬＡＮの数や帯域幅を超えるｊｏｉｎメッセージが送信された場合であっても、参加要求してきたＶＬＡＮの優先度に応じて、かかるＶＬＡＮにサービスを提供できる。従って、サービス提供の質の向上を図ることができる。
【００２６】
そして、ｊｏｉｎメッセージに「ＶＬＡＮ  ＩＤ」を付加しているため、サービスごと、または、加入者ごとに優先制御が可能となる。つまり、特定のユーザ端末のグループや、各加入者からのｊｏｉｎメッセージを「ＶＬＡＮ  ＩＤ」で識別することで、特定のＶＬＡＮを優先してマルチキャストグループに登録して、マルチキャストパケットを配信することができる。
【００２７】
また、上記では、ｊｏｉｎメッセージ制御部４によるマルチキャストグループへのＶＬＡＮの登録を、ｊｏｉｎメッセージに含まれる「ＶＬＡＮ  ＩＤ」ごと設定された優先度が高い順に行うことを説明したが、ｊｏｉｎメッセージと共に送信される特定の情報、例えば、イーサネットヘッダに含まれるＣｏＳ値や、ＩＰヘッダに含まれるＴｏＳ値に基づいて、優先制御してもよい。この場合、ＶＬＡＮテーブル２には、ＣｏＳ値またはＴｏＳ値毎に、予め設定されたＩＧＭＰグループの優先度が関付けられて登録されている。そして、ＶＬＡＮテーブル２を参照して、受信したｊｏｉｎメッセージと共に送信されたＣｏＳ値やＴｏＳ値に関連付けられた優先度の高い順に、ＶＬＡＮの数や帯域幅の上限値を超えないよう、優先してマルチキャストグループに登録する。
【００２８】
＜付記＞
上記実施形態の一部又は全部は、以下の付記のようにも記載されうる。以下、本発明における通信装置の構成の概略について説明する。また、本発明における、プログラム、マルチキャスト送信方法の構成について説明する。但し、本発明は、以下の構成に限定されない。
【００２９】
（付記１）
仮想的なグループを形成した仮想ネットワーク内の端末から、マルチキャストグループへの参加要求メッセージを受信する参加メッセージ受信部と、
受信した前記参加要求メッセージに従って、前記仮想ネットワークをマルチキャストグループに登録を行う参加要求メッセージ制御部と、
前記マルチキャストグループに登録された前記仮想ネットワークに対してマルチキャストパケットを送信するマルチキャストパケット送信部と、を備えると共に、
前記仮想ネットワーク内の端末から前記参加要求メッセージと共に送信される特定の情報と、当該特定の情報毎に予め設定された優先度を表す優先度情報と、が関連付けられた優先度テーブルを備え、
前記参加要求メッセージ制御部は、前記優先度テーブルを参照して、前記マルチキャストグループに登録されている仮想ネットワークと、前記参加要求メッセージを受信した仮想ネットワークと、にそれぞれ関連付けられた優先度に基づいて、予め設定された前記マルチキャストグループに登録可能な仮想ネットワークの数又は帯域幅の上限値を超えないよう、当該マルチキャストグループに仮想ネットワークを再登録する、
通信装置。
【００３０】
（付記２）
付記１に記載の通信装置であって、
前記参加要求メッセージ制御部は、予め設定された前記マルチキャストグループに登録可能な仮想ネットワークの数又は帯域幅の上限値の範囲内で、仮想ネットワークの優先度が高いものを優先して当該仮想ネットワークを前記マルチキャストグループに再登録し、前記仮想ネットワークの数又は帯域幅の上限値を超える仮想ネットワークを前記マルチキャストグループに登録せずに破棄する、
通信装置。
【００３１】
（付記３）
付記１又は２に記載の通信装置であって、
前記参加要求メッセージと共に送信される前記特定の情報は、仮想ネットワークを識別する情報である、
通信装置。
【００３２】
（付記４）
付記１又は２に記載の通信装置であって、
前記参加要求メッセージと共に送信される前記特定の情報は、イーサネットヘッダに含まれるＣｏＳ値である、
通信装置。
【００３３】
（付記５）
付記１又は２に記載の通信装置であって、
前記参加要求メッセージと共に送信される前記特定の情報は、ＩＰヘッダに含まれるＴｏＳ値である、
通信装置。
【００３４】
（付記６）
通信装置に、
仮想的なグループを形成した仮想ネットワーク内の端末から、マルチキャストグループへの参加要求メッセージを受信する参加メッセージ受信部と、
受信した前記参加要求メッセージに従って、前記仮想ネットワークをマルチキャストグループに登録を行う参加要求メッセージ制御部と、
前記マルチキャストグループに登録された前記仮想ネットワークに対してマルチキャストパケットを送信するマルチキャストパケット送信部と、を実現させると共に、
前記参加要求メッセージ制御部は、前記仮想ネットワーク内の端末から前記参加要求メッセージと共に送信される特定の情報と、当該特定の情報毎に予め設定された優先度を表す優先度情報と、が予め関連付けられた優先度テーブルを参照して、前記マルチキャストグループに登録されている仮想ネットワークと、前記参加要求メッセージを受信した仮想ネットワークと、にそれぞれ関連付けられた優先度を調べ、予め設定された前記マルチキャストグループに登録可能な仮想ネットワークの数又は帯域幅の上限値を超えないよう、当該マルチキャストグループに仮想ネットワークを再登録する、
プログラム。
【００３５】
（付記７）
付記６に記載のプログラムであって、
前記参加要求メッセージ制御部は、予め設定された前記マルチキャストグループに登録可能な仮想ネットワークの数又は帯域幅の上限値の範囲内で、仮想ネットワークの優先度が高いものを優先して当該仮想ネットワークを前記マルチキャストグループに再登録し、前記仮想ネットワークの数又は帯域幅の上限値を超える仮想ネットワークを前記マルチキャストグループに登録せずに破棄する、
プログラム。
【００３６】
（付記８）
仮想的なグループを形成した仮想ネットワーク内の端末から、マルチキャストグループへの参加要求メッセージを受信する参加メッセージ受信工程と、
受信した前記参加要求メッセージに従って、前記仮想ネットワークをマルチキャストグループに登録を行う参加要求メッセージ制御工程と、
前記マルチキャストグループに登録された前記仮想ネットワークに対してマルチキャストパケットを送信するマルチキャストパケット送信工程と、を有すると共に、
前記参加要求メッセージ制御工程は、前記仮想ネットワーク内の端末から前記参加要求メッセージと共に送信される特定の情報と、当該特定の情報毎に予め設定された優先度を表す優先度情報と、が予め関連付けられた優先度テーブルを参照して、前記マルチキャストグループに登録されている仮想ネットワークと、前記参加要求メッセージを受信した仮想ネットワークと、にそれぞれ関連付けられた優先度を調べ、予め設定された前記マルチキャストグループに登録可能な仮想ネットワークの数又は帯域幅の上限値を超えないよう、当該マルチキャストグループに仮想ネットワークを再登録する、
マルチキャスト送信方法。
【００３７】
（付記９）
付記８に記載のマルチキャスト送信方法であって、
前記参加要求メッセージ制御工程は、予め設定された前記マルチキャストグループに登録可能な仮想ネットワークの数又は帯域幅の上限値の範囲内で、仮想ネットワークの優先度が高いものを優先して当該仮想ネットワークを前記マルチキャストグループに再登録し、前記仮想ネットワークの数又は帯域幅の上限値を超える仮想ネットワークを前記マルチキャストグループに登録せずに破棄する、
マルチキャスト送信方法。
【符号の説明】
【００３８】
１  アクセス基地局装置
２  ＶＬＡＮテーブル
３  ｊｏｉｎメッセージ受信部
４  ｊｏｉｎメッセージ制御部
５  マルチキャストパケット送信部
１１，１２  端末
２１，２２  アクセス端末
Ｇ，Ｇ’  マルチキャストグループ
【図１】
2011244255.tif 000003
【図２】
2011244255.tif 000004
【図３】
2011244255.tif 000005
【図４】
2011244255.tif 000006